(57)【要約】【課題】本体部を防護枠で確実に保護でき、堅牢さと耐久性に優れており、しかもシンプルなデザインで高級感に富む印象を醸し興趣を惹起できる電気かみそりを提供する。【解決手段】外刃９および内刃１０を備えたヘッド部１と、ヘッド部１を支持する本体部２と、本体部２に装着される防護枠３とを有する。防護枠３は、透明なプラスチック材を素材にして、左右一対の側枠５３と、両縦枠５３の下端どうしを繋ぐ底枠５４とで逆門形に形成する。両縦枠５３および底枠５４が本体部２の前記一対の周壁および底壁に密接する状態で、防護枠３を本体部２に装着固定する。【選択図】図１
2010012054.tif 000002
【特許請求の範囲】
【請求項１】
外刃（９）および内刃（１１）を備えたヘッド部（１）と、ヘッド部（１）を支持する本体部（２）と、本体部（２）に装着される防護枠（３）とを有し、
本体部（２）は対向する一対以上の周壁を備えており、
防護枠（３）は、本体部（２）の対向する一対の周壁を挟み保持する一対の縦枠（５３）と、両縦枠（５３）の下端どうしを繋ぐ底枠（５４）とを含み、
両縦枠（５３）および底枠（５４）が本体部（２）に密接する状態で、防護枠（３）が本体部（２）に装着固定してあることを特徴とする電気かみそり。
【請求項２】
防護枠（３）の左右幅（Ｌ）が、本体部（２）の前後厚み（Ｂ１）に比べて大きく設定してある請求項１に記載の電気かみそり。
【請求項３】
防護枠（３）が、本体部（２）の左右側壁に密着する一対の側枠（５３）と、両側枠（５３）の下端どうしを繋ぐ底枠（５４）とで逆門形に形成されており、
防護枠（３）の前後厚み（Ｂ２）が、本体部（２）の前後厚み（Ｂ１）に比べて小さく設定してある請求項１または２に記載の電気かみそり。
【請求項４】
本体部（２）を構成する本体ケース（２５）が、前後に２分割された前ケース（２５ａ）および後ケース（２５ｂ）で構成されており、
防護枠（３）に前ケース（２５ａ）および後ケース（２５ｂ）を係合する係合部（５７）が形成されており、
前ケース（２５ａ）および後ケース（２５ｂ）と前記係合部（５７）との係合構造で、本体ケース（２５）の上下方向および左右方向への移動を規制している請求項３に記載の電気かみそり。
【請求項５】
前ケース（２５ａ）および後ケース（２５ｂ）と同時に係合して、前後ケース（２５ａ・２５ｂ）の前後方向の分離を阻止する固定ピース（８９）が前記係合構造の外面に装着してある請求項４に記載の電気かみそり。
【請求項６】
側枠（５３）の上端に、防護枠（３）の中央部側へ向かって凹む係止凹部（５６）を備えた係合部（５７）が形成されており、
前ケース（２５ａ）および後ケース（２５ｂ）に、前記係止凹部（５６）と係合する係合突起（３９・４５）が形成されており、
前記係合突起（３９・４５）と前記係止凹部（５６）との係合構造で、本体ケース（２５）の上下方向および左右方向への移動を規制している請求項４または５に記載の電気かみそり。
【請求項７】
固定ピース（８９）がコ字状の枠体で形成されており、
前記係合突起（３９・４５）の外面基端に、前記固定ピース（８９）を差し込み係合するスリット（９２）が設けられており、
前記固定ピース（８９）を前記スリット（９２）に差し込み係合して、前後ケース（２５ａ・２５ｂ）が前後方向へ分離不能に固定してある請求項５または６に記載の電気かみそり。
【請求項８】
前記固定ピース（８９）の外面が、係合片（９４）と弾性係合爪（１００）を備えた化粧ピース（６８）で覆われており、
前記係合片（９４）を前後ケース（２５ａ・２５ｂ）の側壁に設けた係合溝（９５）と係合し、かつ、前後一対の弾性係合爪（１００）を前記係合突起（３９・４５）に係合して、化粧ピース（６８）が本体ケース（２５）に対して分離不能に係合固定してある請求項７に記載の電気かみそり。
【請求項９】
左右いずれか一方の前記固定ピース（８９）と化粧ピース（６８）との間にスイッチボタン（６６）が配置されており、
スイッチボタン（６６）と対向する本体部（２）の内部に、スイッチボタン（６６）で切り換え操作されるスイッチ（６７）が配置してある請求項７または８に記載の電気かみそり。
【請求項１０】
化粧ピース（６８）が本体部（２）に差し込み係合した抜止ピース（９７）で分離不能に固定されている請求項７から９のいずれかに記載の電気かみそり。
【請求項１１】
本体部（２）の前後いずれか一方にきわ剃りユニット（４）が配置されており、
前記抜止ピース（９７）の外面が、きわ剃りユニット（４）で覆ってある請求項７から１０のいずれかに記載の電気かみそり。
【請求項１２】
前記スイッチボタン（６６）が化粧ピース（６８）の側面に開口した操作窓（６９ａ）を介して外面に露出させてある請求項９から１１のいずれかに記載の電気かみそり。
【請求項１３】
前記スイッチボタン（６６）が、防護枠（３）の外郭線の左右幅内に配置してある請求項９から１２のいずれかに記載の電気かみそり。
【請求項１４】
防護枠（３）が、透明プラスチック材で形成してある請求項１から１３のいずれかに記載の電気かみそり。
【請求項１５】
防護枠（３）に発光表示部（５８）が設けてある請求項１４に記載の電気かみそり。
【請求項１６】
本体部（２）の内部に、発光表示部（５８）の光源（６３）が配置されており、
防護枠（３）の側枠（５３）の後面側に凹部を設けて、凹部の内奥に反射面（６１）が形成されており、
前記光源（６３）から発光された表示光を反射面（６１）で前面側へ向かって反射する請求項１５に記載の電気かみそり。
【請求項１７】
前ケース（２５ａ）および後ケース（２５ｂ）で構成される本体ケース（２５）の内部に内ケース（２６）が配置されており、
内ケース（２６）の内部に、モーター（１４）、電池（２８）、および回路基板（２９）を含む電装品ユニットが収容してある請求項４から１６のいずれかに記載の電気かみそり。
【請求項１８】
内ケース（２６）とヘッド部（２）との間に、これら両者（２・２６）の隙間を塞ぐパッキン（３４）が配置されており、
前記パッキン（３４）の外面を本体ケース（２５）の上部で覆って保護してある請求項１７に記載の電気かみそり。
【発明の詳細な説明】
【技術分野】
【０００１】
本発明は、電気かみそりの本体部に装着されて、本体部を落下衝撃や衝突衝撃から守るための防護枠を備えている電気かみそりに関する。
【背景技術】
【０００２】
この種の電気かみそりは、例えば特許文献１に公知である。そこでは、防護枠を電気かみそりの本体部に組み付けて、不使用状態における外刃の外面を防護枠のキャップ部で覆うようにしている。防護枠は、本体部の前後面を覆う前後一対の保護壁と、保護壁の下端どうしを繋ぐキャップ部とでＵ字状に構成してある。一対の保護壁は、それぞれ本体部の前後面に設けた支軸部で回転自在に支持してあり、使用時と不使用時とで防護枠を１８０度回転操作することにより、ヘッド部を防護枠の上方に露出させ、あるいはヘッド部をキャップ部と正対させて外刃を保護できる。同様の防護枠を備えた電気かみそりは、特許文献２、３に公知であり、これらの電気かみそりおいては、本体部の左右側面を覆う左右一対の保護壁と、保護壁の下端どうしを繋ぐキャップ部、あるいは枠体とでＵ字状に構成してある。
【０００３】
本発明においては、ＬＥＤを光源にして透明な枠体を利用して発光表示を行なうが、類似する表示構造は特許文献４に見ることができる。そこでは、透明な表示板の側端にＬＥＤを配置し、表示板の内面から外面側へ向かって一群の表示穴を形成し、表示穴の内奥に傾斜面を設けて、表示光を傾斜面で表示板の外面へ向かって反射できるようにしている。
【０００４】
【特許文献１】特許第３９９２３３１号公報（段落番号００２０、図４）
【特許文献２】実公平２−１７５５８号公報（第５欄３０〜３５行、第３図）
【特許文献３】特開昭６１−１７０４８６号公報（第２頁左下欄４〜８行、第３図）
【特許文献４】特開昭６２−４７３９４号公報（第２頁右上欄１〜９行、第４図）
【発明の開示】
【発明が解決しようとする課題】
【０００５】
特許文献１ないし特許文献３における防護枠によれば、不使用時の外刃の外面を防護枠で覆って、落下衝撃によって外刃（網刃）が破損するのを防止できる。しかし、外刃を保護するための防護枠であるため、本体部を保護する機能が充分ではなく、落下衝撃や衝突衝撃を受けるような場合に、本体部や防護枠、あるいは防護枠の軸支部分が破損するおそれがある。防護枠を本体部で回転自在に軸支するので、防護枠を回転操作する際などに、誤って指先を防護枠と本体部との間に挟むおそれがある。落下衝撃を受けて、防護枠が本体部と交差する姿勢に回動するおそれもある。
【０００６】
電気かみそりの外形寸法は、ヘッド部および本体部の前後厚みや左右幅によって概ね決まるが、上記のように防護枠を付加した電気かみそりにおいては、防護枠の前後の保護壁や左右の保護壁の分だけ、電気かみそりの前後厚み寸法や左右幅寸法が大きくなってしまう。そのため、本体部を防護枠ごとつかむときのグリップ厚みやグリップ幅が大きくなるのを避けられず、使用者によっては本体部をしっかりと握り保持するのが困難になる。
【０００７】
本発明の目的は、大きな落下衝撃や衝突衝撃受けるような場合でも、本体部を防護枠で確実に保護して、堅牢で耐久性に優れた電気かみそりを提供することにある。本発明の目的は、堅牢であるばかりでなく、シンプルなデザインで高級感に富む印象を醸し興趣を惹起できる電気かみそりを提供することにある。本発明の目的は、防護枠を備えているにもかかわらずつかみやすく、しかも本体部をしっかりと握り保持することができる、使い勝手に優れた電気かみそりを提供することにある。
【課題を解決するための手段】
【０００８】
本発明の電気かみそりは、図１に示すように、外刃９および内刃１０を備えたヘッド部１と、ヘッド部１を支持する本体部２と、本体部２に装着される防護枠３とを有する。本体部２は対向する一対以上の周壁を備えている。防護枠３は、本体部２の対向する一対の周壁を挟み保持する一対の縦枠５３と、両縦枠５３の下端どうしを繋ぐ底枠５４とを含む。以て、両縦枠５３および底枠５４が本体部２に密接する状態で、防護枠３が本体部２に装着固定してあることを特徴とする。なお、前述の「防護枠３は、本体部２の対向する一対の周壁を挟み保持する一対の縦枠５３と」の記載において、「挟み保持する」とは、見かけ上、本体部２が縦枠５３で挟まれている状態と、本体部２が縦枠５３の弾性によって挟み保持してある場合の、いずれをも含む概念である。
【０００９】
図１２に示すように、防護枠３の左右幅Ｌは本体部２の前後厚みＢ１に比べて大きく設定する。
【００１０】
防護枠３は、本体部２の左右側壁に密着する一対の側枠５３と、両側枠５３の下端どうしを繋ぐ底枠５４とで逆門形に形成する。図１２に示すように、防護枠３の前後厚みＢ２を、本体部２の前後厚みＢ１に比べて小さく設定する。
【００１１】
本体部２を構成する本体ケース２５を、前後に２分割された前ケース２５ａおよび後ケース２５ｂで構成する。防護枠３に前ケース２５ａおよび後ケース２５ｂを係合するための係合部５７を形成する。前ケース２５ａおよび後ケース２５ｂと係合部５７との係合構造で、本体ケース２５の上下方向および左右方向への移動を規制する。
【００１２】
図１０に示すように、前ケース２５ａおよび後ケース２５ｂと同時に係合して、前後ケース２５ａ・２５ｂの前後方向の分離を阻止する固定ピース８９を係合構造の外面に装着する。
【００１３】
図９に示すように、側枠５３の上端に、防護枠３の中央部側へ向かって凹む係止凹部５６を備えた係合部５７を形成する。前ケース２５ａおよび後ケース２５ｂに、係止凹部５６と係合する係合突起３９・４５を形成する。係合突起３９・４５と係止凹部５６との係合構造で、本体ケース２５の上下方向および左右方向への移動を規制する。
【００１４】
固定ピース８９はコ字状の枠体で形成する。係合突起３９・４５の外面基端に、前記固定ピース８９を差し込み係合するスリット９２を設ける。固定ピース８９をスリット９２に差し込み係合して、前後ケース２５ａ・２５ｂを前後方向へ分離不能に固定する。
【００１５】
固定ピース８９の外面を、係合片９４と弾性係合爪１００を備えた化粧ピース６８で覆う。係合片９４を前後ケース２５ａ・２５ｂの側壁に設けた係合溝９５と係合し、かつ、前後一対の弾性係合爪１００を係合突起３９・４５に係合して、化粧ピース６８を本体ケース２５に対して分離不能に係合固定する。
【００１６】
左右いずれか一方の固定ピース８９と化粧ピース６８との間にスイッチボタン６６を配置する。スイッチボタン６６と対向する本体部２の内部に、スイッチボタン６６で切り換え操作されるスイッチ６７を配置する。
【００１７】
図１０に示すように、化粧ピース６８を本体部２に差し込み係合した抜止ピース９７で分離不能に固定する。
【００１８】
本体部２の前後いずれか一方にきわ剃りユニット４を配置する。抜止ピース９７の外面をきわ剃りユニット４で覆う。
【００１９】
スイッチボタン６６を化粧ピース６８の側面に開口した操作窓６９ａを介して外面に露出させる。
【００２０】
スイッチボタン６６を防護枠３の外郭線の左右幅内に配置する。防護枠３は透明プラスチック材で形成する。図１１に示すように防護枠３に発光表示部５８を設ける。
【００２１】
本体部２の内部に、発光表示部５８の光源となる光源６３を配置する。防護枠３の側枠５３の後面側に凹部を設けて、凹部の内奥に反射面６１を形成する。以て、光源６３から発光された表示光を反射面６１で前面側へ向かって反射する。
【００２２】
図３に示すように、前ケース２５ａおよび後ケース２５ｂで構成される本体ケース２５の内部に内ケース２６を配置する。内ケース２６の内部に、モーター１４、電池２８、および回路基板２９を含む電装品ユニットを収容する。
【００２３】
内ケース２６とヘッド部２との間に、これら両者２・２６の隙間を塞ぐパッキン３４を配置する。パッキン３４の外面を本体ケース２５の上部で覆って保護する。
【発明の効果】
【００２４】
本発明では、一対の縦枠５３と、両縦枠５３の下端どうしを繋ぐ底枠５４とで防護枠３を構成し、両縦枠５３および底枠５４が本体部２に密接する状態で防護枠３を本体部２に装着固定して、本体部２を防護枠３で保護できるようにした。このように、防護枠３を本体部２に密着固定する電気かみそりによれば、大きな落下衝撃や衝突衝撃を受けるような場合に、外部から加わる衝撃を防護枠３で吸収して本体部２を保護することができる。したがって、主として外刃を保護するために設けられた従来の防護枠とは異なり、防護枠３によって本体部２の破損を確実に防止できる、堅牢さと耐久性に優れた電気かみそりを提供できる。また、防護枠３を本体部２に対して密着固定するので、本体部２と防護枠３とを同時につかみ、あるいは握り持つ状態において、防護枠３がぐらつくことがなく、持ちやすく扱いやすい電気かみそりとすることができる。
【００２５】
防護枠３の左右幅Ｌが本体部２の前後厚みＢ１に比べて大きく設定してあると、防護枠３と本体部２の横断面の外郭形状を、前後厚みが小さな扁平形状にすることができるので、図１２（ａ）に示すように、電気かみそりを親指と他の４指とで前後に挟み持つ状態において、本体部２を確実に前後に挟み持って、電気かみそりの姿勢を肌面に沿って的確に追随させることができる。また、本体部２を親指と他の４指とで前後に挟み持つとき、広幅の防護枠３の後面、または前面を指先や手の平で受け止め支持できるので、電気かみそりを常に安定した状態で挟み持って、使用者の意図どおりに電気かみそりの姿勢を変更することができる。
【００２６】
左右一対の側枠５３と底枠５４とで防護枠３を逆門形に形成し、防護枠３の前後厚みＢ２を本体部２の前後厚みＢ１に比べて小さく設定すると、電気かみそりを親指と他の４指とで前後に挟み持つとき、防護枠３に邪魔されることもなく本体部２を確実に前後に挟み持つことができる。さらに、図１２（ｂ）に示すように、本体部２と防護枠３とを片手で握り持つ場合に、本体部２の前後面と防護枠３の左右側面の４個所を指や手の平に密着させて、手にフィットした状態で確りと握り締めることができ、全体として握りやすく扱いやすい電気かみそりとすることができる。
【００２７】
前後に２分割された前ケース２５ａおよび後ケース２５ｂで本体ケース２５を構成し、これら前後ケース２５ａ・２５ｂを防護枠３に設けた係合部５７に係合して、本体ケース２５の上下方向および左右方向への移動を規制すると、本体部２と防護枠３とを強固に一体化できる。したがって、外部から加わる衝撃を防護枠３で吸収するとき、本体部２の一部に衝撃が集中し破損するのを防いで、防護枠３による保護機能をさらに確実に発揮できる。
【００２８】
前後ケース２５ａ・２５ｂと係合部５７の外面に固定ピース８９を装着して、前後ケース２５ａ・２５ｂの前後方向の分離を阻止すると、外部から加わる衝撃によって前ケース２５ａ、あるいは後ケース２５ｂが防護枠３から分離するのを固定ピース８９で確実に阻止できる。したがって、本体部２と防護枠３とを強固に一体化して、防護枠３による保護機能をさらに強化できる。
【００２９】
防護枠３の側枠５３に係止凹部５６を備えた係合部５７を設け、前後ケース２５ａ・２５ｂに設けた係合突起３９・４５を係止凹部５６に係合して、本体ケース２５の上下方向および左右方向への移動を規制する係合構造によれば、側枠５３の上端に係合部５７を設けるだけでよいので、防護枠３の構造を簡素化して、その分だけ防護枠３の加工コストを削減できる。また、係合構造の構造をより簡素なものとしながら、本体ケース２５と防護枠３とを強固に連結し一体化できる。
【００３０】
コ字状の固定ピース８９を、係合突起３９・４５の外面基端に設けたスリット９２に差し込み係合して、前後ケース２５ａ・２５ｂを前後方向へ分離不能に固定する係合構造によれば、前後ケース２５ａ・２５ｂに設けた係合突起３９・４５の外面を固定ピース８９で覆って、両係合突起３９・４５の分離移動を規制できる。したがって、外部から加わる衝撃によって、各係合突起３９・４５が係合部５７から抜け外れるのを固定ピース８９で確実に阻止して、本体ケース２５と防護枠３とをさらに強固に連結し一体化できる。
【００３１】
固定ピース８９の外面を、本体ケース２５に係合固定される化粧ピース６８で覆うと、固定ピース８９が電気かみそりの外面に剥き出しになるのを防いで、外部から加わる衝撃を化粧ピース６８で受け止めることができる。したがって、本体ケース２５と防護枠３の係合構造部分に加わろうとする衝撃を化粧ピース６８で受け止めて、固定ピース８９が衝撃を受けて前後ケース２５ａ・２５ｂから抜け外れるのを確実に防止できる。また、化粧ピース６８の係合片９４を前後ケース２５ａ・２５ｂの係合溝９５と係合し、さらに、一対の弾性係合爪１００を係合突起３９・４５に係合して、化粧ピース６８を本体ケース２５に分離不能に係合固定するので、化粧ピース６８が前後ケース２５ａ・２５ｂから分離するのを阻止できる。
【００３２】
固定ピース８９と化粧ピース６８との間にスイッチボタン６６を配置すると、固定ピース８９が係合突起３９・４５から分離するのをスイッチボタン６６で規制できる。たとえ、固定ピース８９が係合突起３９・４５から浮き離れる状態であったとしても、スイッチボタン６６を押し込み操作する際に、固定ピース８９を適正な係合状態に復帰できる。側枠５２の上端に配置される化粧ピース６８を利用してスイッチボタン６６を配置するので、本体部２の前面や後面などにスイッチ構造を配置する場合に比べて、スイッチボタン６６が目立つのを防いで電気かみそりの外観をシンプルなものとし、デザイン性を向上することができる。
【００３３】
化粧ピース６８を本体部２に差し込み係合した抜止ピース９７で分離不能に固定する係合構造によれば、例えば、弾性係合爪１００が係合突起３９・４５から脱落し、あるいは弾性係合爪１００が破損したとしても、化粧ピース６８が本体部２から分離するのを抜止ピース９７で阻止して、化粧ピース６８の組み付け状態を維持できる。
【００３４】
本体部２に配置されるきわ剃りユニット４で抜止ピース９７の外面を覆うと、抜止ピース９７が電気かみそりの外面に露出するのをきわ剃りユニット４で防止できる、さらに、抜止ピース９７が本体ケース２５から抜け外れるのをきわ剃りユニット４で阻止できる。
【００３５】
スイッチボタン６６を化粧ピース６８の側面に開口した操作窓６９ａを介して外面に露出させると、電気かみそりの外面のうちでも、目立たない個所に目立たない状態でスイッチボタン６６を配置できる。したがって、本体部２の前面や後面の外観をすっきりさせて、電気かみそり全体の印象をシンプルでデザイン性に優れたものとすることができる。
【００３６】
スイッチボタン６６を防護枠３の外郭線の左右幅内に配置すると、外部から加わる衝撃を防護枠３で受け止めて、スイッチボタン６６を保護できる。あるいは、電気かみそりが他物と衝突するような場合に、スイッチボタン６６が押し込まれてオン状態に切り換わるのを防護枠３で防止できる。
【００３７】
防護枠３を透明プラスチック材で形成すると、透明な側枠５３および底枠５４を介して防護枠３の前後面を見通すことができるので、防護枠３と一体化された本体部２が宙に浮いているような印象を与えることができ、デザイン性を向上できる。また、防護枠３の全体が透明であるため、防護枠を不透明なプラスチック材で形成する場合に比べて、防護枠３より幅狭の本体部２が強調されることになり、全体として電気かみそりの印象をスリムなものとすることができる。
【００３８】
防護枠３に発光表示部５８を設けると、防護枠３が透明であることを利用して表示部を構成できるので、発光表示部５８の構造を簡素化できる。さらに、発光表示部５８を構成する光源や、表示光を表示位置まで案内する導光体などの構成部品を、堅牢な防護枠３で保護することができる。
【００３９】
本体部２の内部に光源６３を配置し、防護枠３の側枠５３に設けた凹部の内奥に反射面６１を形成して、光源６３から発光された表示光を反射面６１で前面側へ向かって反射する発光表示部５８によれば、使用者は反射面６１で反射された光を見ることになり、反射面６１に入射する光を見ることはできない。そのため、側枠５３の内部に位置する反射面６１が光源であるかのような印象を与え、さらに、反射面６１が透明な側枠５３の内部で宙に浮いたような幻想的な印象を与えることができる。また、光源６３から発光された表示光を、側枠５３の内部に設けた反射面６１で前面側へ向かって反射するので、折れ曲がった光路によって発光表示を行なうにもかかわらず、発光表示部５８の構造を簡素化して、コスト削減に寄与できる。
【００４０】
本体ケース２５の内部に内ケース２６を配置し、その内部に、モーター１４、電池２８、および回路基板２９などの電装品ユニットを収容すると、防護枠３を含めて３層の構造体で脆弱な電装品ユニットを保護できるので、耐久性を向上して故障しにくい電気かみそりとすることができる。
【００４１】
内ケース２６とヘッド部２との間の隙間を塞ぐパッキン３４を設け、パッキン３４の外面を本体ケース２５の上部で覆うようにすると、パッキン３４が電気かみそりの外面に露出するのを避けながら本体ケース２５で保護できる。したがって、他物との接触によって脆弱なパッキン３４が傷つけられあるいは破損されるのを防いで、防塵機能および防水機能を長期にわたって安定した状態で発揮させることができる。パッキン３４を本体ケース２５で覆って隠蔽することにより、外観上の印象をシンプルなものとして、デザイン性を向上できる。
【発明を実施するための最良の形態】
【００４２】
（実施例）  図１ないし図１２は本発明に係る電気かみそりの実施例を示す。図１および図２において、電気かみそりは、ヘッド部１と、ヘッド部１を支持する本体部２と、本体部２に装着される防護枠３と、本体部２の後面側に配置されるきわ剃りユニット４などで構成する。防護枠３は装飾枠を兼ねており、さらに本体部２と協同して電気かみそりのグリップ部を構成する。なお、この実施例における前後あるいは左右とは、図１および図２に示す矢印と前後および左右の表記に従うものとする。
【００４３】
図３に置いてヘッド部１は、ヘッドベース７と、ヘッドベース７の上面を塞ぐ上カバー８と、網刃からなる外刃９をアーチ状に保持する外刃ホルダー１０と、ロータリー式の内刃１１を支持する内刃ホルダー１２と、ヘッドベース７の下面にモーターホルダー１３を介して固定されるモーター１４と、モーター動力を内刃１１に伝動する伝動機構などで構成してある。内刃１１は、スパイラル状の小刃を丸軸状の樹脂軸にインサート固定して構成してあり、外刃９と協働して比較的短いひげを切断する。
【００４４】
モーター動力は、その出力軸に固定した原動ギヤ１５と、第２ギヤ１６、および一対の傘歯車１７・１８を介して、水平の中間軸１９に伝動され、中間軸１９と内刃軸との間に設けたギヤトレイン２０を介して内刃１１に伝動される。中間軸１９には振動子２１がスライド自在に支持してあり、先の原動ギヤ１５と一体に設けたカム２２と振動子２１によって、回転動力を往復動力に変換している。この往復動力は、きわ剃りユニット４に伝動される。なお、モーター１３はヘッドベース７に固定するが、その大半の部分は後述する内ケース２６に収容されている。
【００４５】
図５および図６において本体部２は、本体ケース２５と、本体ケース２５の内部に配置される内ケース２６と、内ケース２６の内部に配置される内フレーム２７と、内フレーム２７に固定される２次電池（電池）２８、および回路基板２９などの電装品ユニットで構成する。本体ケース２５、内ケース２６、および内フレーム２７は、それぞれプラスチック成形品からなる。図３に示すように、モーターホルダー１３の左右両側にはスライド爪３１が設けてあり、これらのスライド爪３１を内フレーム２７に設けたガイド溝３２でスライド案内し、さらに、モーターホルダー１３の底面と内フレーム２７との間に設けた前後一対のフロートばね３３でモーターホルダー１３を押し上げ付勢することにより、ヘッド部１の全体を上下に浮動可能に支持している。ヘッドベース７と内ケース２６との間には、これら両者７・２６の隙間を塞ぐパッキン３４が配置してある。パッキン３４の上端は、ヘッドベース７とモーターホルダー１３との接合面の間に挟持され、パッキン３４の下端は、内ケース２６と内フレーム２７との上端間に挟持されている。
【００４６】
図６および図７に示すように本体ケース２５は、前後に２分割された前ケース２５ａおよび後ケース２５ｂで構成する。前ケース２５ａは、前突状の湾曲壁からなる前壁３６と、前壁３６に連続する左右一対の側壁３７・３７と、前壁３６および側壁３７・３７の下端に連続する底壁３８とで樋体状に形成してある。両側壁３７・３７の上端寄りには、前ケース２５ａを防護枠３に固定するための係合突起３９が横臥Ｌ字状に突設してある。側壁３７の前縁寄りには、後述する側枠５３の前面内縁を受け止める段部４０が形成してある（図１１参照）。
【００４７】
後ケース２５ｂは、後突状の湾曲壁からなる後壁４１と、前壁４１に連続する左右一対の側壁４２・４２と、後壁４１および側壁４２・４２の下端に連続する底壁４３とで樋体状に形成してある。後壁４１の上部にはきわ剃りベース４４が一体に形成してあり、その外面にきわ剃りユニット４が組み付けられる。両側壁４２・４２の上端寄りには、後ケース２５ｂを防護枠３に固定するための係合突起４５が横臥Ｌ字状に突設してある。側壁４２の後縁寄りには、後述する側枠５３の後面内縁を受け止める段部４６が形成してある（図１１参照）。
【００４８】
内ケース２６は有底筒状に形成してあり、その底壁の下方から挿通される左右一対のビス４７（図８参照）を内フレーム２７の下端のねじボスにねじ込むことにより、内フレーム２７が分離不能に固定してある。内ケース２６の後面下部には、充電用のプラグ４８を備えたソケット４９がビスで締結固定してある（図６参照）。プラグ４８は、後ケース２５ｂの後面下部に開口したプラグ窓５０を介してケース外面に臨ませてある。
【００４９】
防護枠３は、透明なアクリル樹脂あるいはポリカーボネイト樹脂を素材とする射出成形品からなり、左右一対の側枠（縦枠）５３・５３と、両側枠５３・５３の下端どうしを繋ぐ底枠５４とで逆門形に形成してある。両側枠５３・５３の対向面、および底枠５４の上面には、不透明な塗料を塗布して隠蔽層５５が形成してある（図１参照）。隠蔽層５５を設けることにより、防護枠３の内部に組み付けた本体部２の両側面および底面が視認されるのを防止できる。
【００５０】
隠蔽層５５は、側枠５３・５３および底枠５４を介して視認されるので、側枠５３・５３および底枠５４の透明感と相俟って、防護枠３の外観の印象をシンプルなデザインでありながら高級感に富み、重厚なものとすることができる。とくに、側枠５３および底枠５４を、ぶ厚く太いプラスチックブロック状に形成して、防護枠３の外観上の印象を堅牢で重厚感に富むものとしている。具体的には、両側枠５３の左右幅を１０ｍｍ、底枠５４の上下高さを２１ｍｍ、両枠５３・５４の前後厚みを１６ｍｍとしている。ヘッド部１の左右幅と、防護枠３の左右幅はほぼ一致している。このように、底枠５４の上下高さを、側枠５３の左右幅および前後厚みに比べて大きく設定すると、重心位置を防護枠３の下半側に位置させることができるので、防護枠３を縦長姿勢で立てた状態の安定感を向上できる。さらに、防護枠３を立てた状態で本体部２を組み付けることができるので、組み付け性を向上できる。なお、この実施例における防護枠３の重量は４９ｇ、前ケース２５ａの重量は９ｇ、後ケース２５ｂの重量は８．６ｇ、内ケース２６の重量は１０ｇである。
【００５１】
各側枠５３の上端には、本体ケース２５の前後ケース２５ａ・２５ｂを固定するための係合部５７が形成してある。図９に示すように係合部５７は、側枠５３の上端から上向きに突出する縦壁５７ａと、縦壁５７ａの上端に連続して外側方へ突出する横壁５７ｂとで逆Ｌ字状に形成してある。これにより、側枠５３の上端に防護枠３の中央部側へ向かって凹む係止凹部５６を備えた係合部５７が形成される。左右の係合部５７のうち、右方の係合部５７に限って円形の穴５７ｃが左右貫通状に形成してある。
【００５２】
右側の側枠５３の上端寄りには発光表示部５８が設けてある。図８および図１１に示すように発光表示部５８は、モーター１４が通電状態にあるとき表示される第１表示部５９と、２次電池２８が充電状態にあるとき表示される第２表示部６０とで構成する。両表示部５９・６０は、それぞれ側枠５３の後面側に設けた断面が四角形状の凹部で形成してあり、凹部の内奥に斜めの反射面６１を備えている。
【００５３】
上記の第１・第２の表示部５９・６０に対応して、本体部２の側壁寄りの内部に光源６３を上下に配置し、さらに、光源６３と対向する内ケース２６の周壁に透明な導光板６４を固定している。各光源６３はチップ型のＬＥＤ（発光ダイオード）からなり、内ケース２６に収容した回路基板２９に実装してある。各光源６３は、側枠５３へ向かって表示光を照射する。詳しくは、各光源６３から発光された表示光は、導光板６４を介して第１・第２の表示部５９・６０へ到達し、それぞれの反射面６１で電気かみそりの前面側へ向かって反射される。したがって、使用者は各表示部５９・６０の発光状態を視認して、電気かみそりが運転状態にあること、あるいは充電状態にあることを知ることができる。因みに、電気かみそりと正対する状態の使用者は、側枠５３の内部に位置する反射面６１で反射された光を見ることになり、反射面６１に入射する光を見ることはできない。そのため、反射面６１が透明な側枠５３の内部で宙に浮いたような印象を与えることができる。上記のように光源６３および導光板６４は、本体部２の側壁寄りに設けられるが、その外面が剛性に富む防護枠３の側枠５３で覆われるので、落下衝撃を受けるような場合でも破損しにくい。
【００５４】
発光表示部５８の上部側に隣接して、モーター１４への通電状態を切り換えるスイッチボタン６６を配置し、スイッチボタン６６と対向する本体部２の内部にスイッチ６７を配置している。スイッチ６７はチップ化してあり、内ケース２６に収容した回路基板２９に実装してある。図９および図１０においてスイッチボタン６６は、長方形状の操作部６６ａと、操作部６６ａの内面中央に突設される操作軸６６ｂとを一体に備えており、その周囲は本体ケース２５に係合装着した化粧ピース６８で覆われている。この化粧ピース６８の側壁には、操作部６６ａを外面に露出させる操作窓６８ａが開口してある。
【００５５】
スイッチ６７と対向する内ケース２６の周壁にはスイッチ穴７０が開口してあり、同穴７０の外面側が防水シール７１で塞いである。スイッチボタン６６の操作部６６ａを押し込み操作すると、操作軸６６ｂが防水シール７１を介してスイッチ６７を押圧して、オンまたはオフ状態に切り換えることができる。符号７２は、防水シール７１の押え枠である。
【００５６】
図４においてきわ剃りユニット４は、きわ剃りベース４４に組み付けられて上下スライドする刃ホルダー７５と、刃ホルダー７５の上端に配置される刃ユニットと、刃ホルダー７５の内面に設けられて、振動子２１の往復動力を刃ユニットの可動刃７６に伝動する伝動アーム７８などで構成する。符号７７は固定刃である。振動子２１の後端には、伝動アーム７８と係合する縦長の係合溝２１ａが設けてある。刃ホルダー７５を下方の待機位置から、上方の作動位置へスライド操作した状態においては、伝動アーム７８の下端内面に設けた受動ピン７９が係合溝２１ａと係合して往復動力を受け継ぐ。伝動アーム７８は、刃ホルダー７５の内面に設けた軸８０で左右揺動可能に軸支してあり、その上端の出力端８１が、可動刃７６の下面に固定した受動枠８２と常時係合している。きわ剃りユニット４は、主に長毛やくせ毛を切断する際に使用する。
【００５７】
以下に本体部２と防護枠３の固定構造について説明する。図６に示すように２次電池２８や回路基板２９が実装された内フレーム２７を内ケース２６に締結固定したのち、ヘッド部１を内ケース２６に組み付けておく。次に、後ケース２５ｂを防護枠３の内面に嵌め込んで、その上部左右に設けた係合突起４５を、防護枠３の係合部５７に差し込み係合して仮組みする。この状態の後ケース２５ｂに、ヘッド部１が一体化された内ケース２５を組み付けたうえで、前ケース２５ａを防護枠３の内面に嵌め込んで、その上部左右に設けた係合突起３９を、防護枠３の係合部５７に差し込み係合し、前後ケース２５ａ・２５ｂを接合する。前後ケース２５ａ・２５ｂを接合することにより、前ケース２５ａの下部内面に設けた係合爪８５が、後ケース２５ｂの内面の係合凹部８６に係合して、両ケース２５ａ・２５ｂの接合状態を維持する。
【００５８】
次に、後ケース２５ｂの下部外面から挿通したビス８７（図６参照）を前ケース２５ａのねじボスにねじ込んで、前後ケース２５ａ・２５ｂの下部を締結し一体化する。このとき、前後ケース２５ａ・２５ｂに設けた係合突起３９・４５は、それぞれ防護枠３の係合部５７に前後に対向する状態で係合している。これらの係合突起３９・４５の外面に、固定ピース８９を装着して、前後ケース２５ａ・２５ｂの前後方向の分離を阻止する。図７および図９に示すように固定ピース８９はコ字状に折り曲げられたプレス金具からなり、前後一対の脚壁９０が、係合突起３９の前面上下、および係合突起４５の後面上下に設けた規制リブ９１と、両係合突起３９・４５の外面基端に設けたスリット９２に同時に係合する。固定ピース８９にも、スイッチボタン６６の操作軸６６ｂを通すための穴８９ａが形成してある。
【００５９】
電気かみそりの左側面においては、固定ピース８９を組み付けたのち、その外面に角箱状の化粧ピース６８を組んで、両係合突起３９・４５と係合部５７との係合構造部分の外面を覆う。左側の化粧ピース６８には、操作窓６８ａは開口されていない。電気かみそりの右側面においては、固定ピース８９を組み付けたのち、スイッチボタン６６を装着し、さらにその外面に化粧ピース６８を組む。図９に示すように化粧ピース６８は角箱状に形成してあり、その外側壁に操作窓６８ａが開口してある。化粧ピース６８の前後壁の内端には、それぞれ係合片９４が設けてある。これらの係合片９４を前後ケース２５ａ・２５ｂの側壁３７・４２に設けた係合溝９５に係合することにより、前後ケース２５ａ・２５ｂの分離を阻止している。電気かみそりの左側面に装着される化粧ピース６８にも、前後一対の係合片９４が設けてあり、これらの係合片９４は前後ケース２５ａ・２５ｂの側壁３７・４２に設けた係合溝９５に係合する（図１０参照）。
【００６０】
化粧ピース６８が本体ケース２５から分離するのを防ぐために、化粧ピース６８の後側の係合片９４に抜止ピース９７を差し込み係合している。抜止ピース９７は鉤形のプレス金具からなり、きわ剃りベース４４の外面から差し込まれて、前後に長い抜止部９８を後側の係合片９４に設けたスリット９９に差し込んで圧嵌係合する。さらに、化粧ピース６８の底壁の前後の弾性係合爪１００を設けておき、これらを係合突起３９・４５の下面に設けた突起１０１（図９参照）の内端に係合している。電気かみそりの左側面に装着される化粧ピース６８も、抜止ピース９７で抜止固定してあり、さらに弾性係合爪１００を突起１０１に係合させて抜止してある。
【００６１】
上記のように、左右の化粧ピース６８・６８を抜止ピース９７で固定したのち、きわ剃りベース４４にきわ剃りユニット４を組み付けて組立を完了する。これにより、抜止ピース９７の外面をきわ剃りユニット４で覆い隠すことができる。組立が完了した電気かみそりにおいては、パッキン３４の外面が本体ケース２５の上部で覆われて保護されている（図３参照）。
【００６２】
図１２に示すように、本体部２に装着固定した状態の防護枠３の左右幅Ｌは、本体部２の前後厚みＢ１に比べて大きい。また、防護枠３の前後厚みＢ２は、本体部２の前後厚みＢ１に比べて小さい。このような寸法関係にした電気かみそりによれば、図１２（ａ）に示すように、親指と他の４指とで本体部２を前後に挟み持って、電気かみそりの姿勢を自由に変えることができる。また、図１２（ｂ）に示すように、親指と他の４指とで本体部２と防護枠３を握り締めるようにして持つとき、親指以外の４指の指先を防護枠３の側枠５３に引っ掛けて、手の平にフィットした状態で電気かみそりを持つことができる。防護枠３を備えているにもかかわらずつかみやすく、しかも本体部２をしっかりと握り保持することができる、使い勝手に優れた電気かみそりとすることができる。
【００６３】
以上のように構成した電気かみそりにおいては、防護枠３の両側枠５３および底枠５４が、本体部２の左右側面および底面に密接する状態で、防護枠３と本体部２とが強固に一体化される。また、防護枠３の側枠５３および底枠５４をぶ厚く太いプラスチックブロック状に形成するので、大きな落下衝撃や衝突衝撃を受けるような場合でも、本体部２を防護枠３で確実に保護して、電気かみそりの堅牢さと耐久性を向上することができる。さらに、防護枠３の全体を透明なプラスチック材で形成するので、側枠５３・５３および底枠５４の透明感と相俟って、防護枠３の外観の印象をシンプルなデザインでありながら高級感に富み、重厚なものとすることができる。
【００６４】
着色された透明プラスチック材からなる異色の防護枠３を複数種用意しておくと、外観の印象が異なる電気かみそりを容易にシリーズ商品化できる。同様に、外形形状が異なる複数種の防護枠３を用意しておき、あるいは質感の異なる複数種の防護枠３を用意しておくことにより、さらに多様な電気かみそりをシリーズ商品化できる。質感の異なる防護枠３は、例えばプラスチック、木材、皮革などの異なる形成素材を使用して構成することができ、あるいは防護枠３の表面をエラストマーや、αゲルなどの衝撃吸収剤などで被覆して構成することができる。実施例で説明したように、防護枠３の左右幅をヘッド部１の左右幅と概ね一致させると、ヘッド部１と防護枠３との一体感を強調して、デザイン性を向上できる。
【００６５】
図１３は、本体ケース２５の防護枠３に対する固定構造の別実施例を示す。そこでは、側枠５３および底枠５４の前後面のそれぞれに、逆門形の係合溝（係合部）５７を形成し、さらに両側枠５３の外側面に化粧ピース６８を装填するための縦長の凹部１０３を設けた。凹部１０３の内奥には、固定ピース８９を差し込むための前後一対のスリット１０４と、化粧ピース６８の内面に設けた弾性係合爪１００を差し込み係合するための係合溝１０５とを、それぞれ係合溝５７と交差する状態で形成した。弾性係合爪１００は、縦に長い帯板状の化粧ピース６８の内面上下、および内面の上下中途部の４箇所以上に設けてある。
【００６６】
組立の過程では、内ケース２６を左右の側枠５３の間に嵌め込んだのち、前後ケース２５ａ・２５ｂの側壁３７・４２、および底壁３８・４３を係合溝５７に差し込む。次に、固定ピース８９の脚壁９０をスリット１０４を介して両側壁３７・４２の係合溝１０６に差し込み係合する。さらに、凹部１０３に化粧ピース６８を嵌め込んで、弾性係合爪１００を係合溝１０５を介して両側壁３７・４２の係合溝１０７に差し込み係合し、同時に固定ピース８９を押えリブ１０８で押え固定する。
【００６７】
上記の固定構造によれば、前後ケース２５ａ・２５ｂの側壁３７・４２、および底壁３８・４３が逆門形の係合溝５７に係合固定されるので、本体部２と防護枠３とをさらに強固に一体化できる。この場合の防護枠３は、透明なあるいは不透明なプラスチック材で構成することができる。また、化粧ピース６８の内面に押えリブ１０８を設けるので、化粧ピース６８の構造強度を増強して破損を防止できる。
【００６８】
上記の実施例以外に、防護枠３の外形形状は逆門形である必要はなく、下端面が半円状に丸められたＵ字状や、逆Ｍ字状などに形成することができる。防護枠３の左右幅は、ヘッド部１の左右幅より小さく設定することができる。防護枠３は、左右一対の側枠５３と、両側枠５３の前面（あるいは後面）を覆う前枠（あるいは後枠）と、底枠５４とで構成することができる、必要があれば防護枠３を有底筒状に形成して、筒内部に本体部２を収容することができる。さらに防護枠３は、前後一対の縦枠と底枠５４とで構成することができる。
【００６９】
発光表示部５８は、３個以上の発光表示部で構成することができる。導光板６４は省略することができ、その場合には光源６３を保護をするうえで、防護枠３の存在意義がさらに増すことになる。スイッチボタン６６は、必要に応じて２個所以上に設けることができ、必要があれば、往復スライドしてスイッチ６７を切り換える構造とすることができる。ヘッド部１の内刃１１は、往復動式の内刃であってもよい。上記の実施例では、ヘッド部１がモーターホルダー１３を介して本体部２で浮動支持してある場合について説明したが、本発明は、浮動支持構造を備えておらず、ヘッド部１が本体部２で固定支持してある電気かみそりにも適用できる。
【図面の簡単な説明】
【００７０】
【図１】電気かみそりの正面図である。
【図２】電気かみそりの側面図である。
【図３】図２におけるＡ−Ａ線断面図である。
【図４】図１におけるＢ−Ｂ線断面図である。
【図５】電気かみそりの一部を破断した分解正面図である。
【図６】電気かみそりの分解側面図である。
【図７】前後ケースを分離した状態の本体部の横断平面図である。
【図８】防護枠および本体部を破断した状態の縦断正面である。
【図９】前後ケースの固定構造を示す分解斜視図である。
【図１０】図１におけるＣ−Ｃ線断面図である。
【図１１】図１におけるＤ−Ｄ線断面図である。
【図１２】使用時における本体部の握持例を示す説明図である。
【図１３】本体ケースの固定構造の別実施例を示す本体部の横断平面図である。
【符号の説明】
【００７１】
１  ヘッド部
２  本体部
３  防護枠
９  内刃
１１  外刃
２５  本体ケース
３９  係合突起
４５  係合突起
５３  側枠
５４  底枠
５７  係合部
６８  化粧ピース
８９  固定ピース
【図１】
2010012054.tif 000003
【図２】
2010012054.tif 000004
【図３】
2010012054.tif 000005
【図４】
2010012054.tif 000006
【図５】
2010012054.tif 000007
【図６】
2010012054.tif 000008
【図７】
2010012054.tif 000009
【図８】
2010012054.tif 000010
【図９】
2010012054.tif 000011
【図１０】
2010012054.tif 000012
【図１１】
2010012054.tif 000013
【図１２】
2010012054.tif 000014
【図１３】
2010012054.tif 000015